(57)【要約】【課題】  太陽光が水面にキラキラと乱反射して釣人の目をくらますのを確実に防止でき、釣竿を引くタイミングを失することのないようにする。【解決手段】  水面からの乱反射光を遮蔽する光遮蔽板１と、該光遮蔽板１を保持する傾き変更可能とした支持ロッド２とを備える。光遮蔽板１には、伸縮可能な支持ロッド２に一体的に突設された取付ネジ部４にナット５を螺着したまま挿通して光遮蔽板１自体を若干落とし込んでからナット５で締結可能にした連続異径となる二段式取付孔３を有する。【選択図】          図３
2006238787.tif 000002
【特許請求の範囲】
【請求項１】
水面からの乱反射光を遮蔽する光遮蔽板と、該光遮蔽板を保持する傾き変更可能とした支持ロッドとを備えて成ることを特徴とする魚釣り用反射光遮蔽装置。
【請求項２】
光遮蔽板には、伸縮可能な支持ロッドに一体的に突設された取付ネジ部にナットを螺着したまま挿通して光遮蔽板自体を若干落とし込んでからナットで締結可能にした連続異径となる二段式取付孔を有する請求項１記載の魚釣り用反射光遮蔽装置。
【請求項３】
支持ロッドは、ホルダー部材に有する自在継手を介して起立状に保持されたパラソルの柄によって形成され、光遮蔽板に付設されたクリップ部材を介して前記柄に取り付けられるものとした請求項１または２記載の魚釣り用反射光遮蔽装置。
【発明の詳細な説明】
【技術分野】
【０００１】
本発明は、例えばヘラ鮒釣り等の魚釣りに使用される魚釣り用反射光遮蔽装置に関する。
【背景技術】
【０００２】
従来、例えばヘラ鮒釣り等、浮きを使用する魚釣りに際し、太陽光が水面にキラキラと乱反射して釣人の目をくらますことがある。このため、釣り針に掛かった魚によって浮きが沈んだのか否かが良く見えず、その結果、釣竿を引くタイミングを失してしまうことがしばしばあった。
【特許文献１】特になし
【発明の開示】
【発明が解決しようとする課題】
【０００３】
ただ、従来のような水面からの乱反射光を遮るには例えばサングラス等を着用すれば良いのであるが、このような場合ではサングラスによって釣人の視界が限られてしまい、釣り針に掛かった魚による浮きの浮沈状態がハッキリと視認できないのである。
【０００４】
そこで、本発明は、叙上のような従来存した諸事情に鑑み創出されたもので、太陽光が水面にキラキラと乱反射して釣人の目をくらますのを確実に防止でき、釣竿を引くタイミングを失することのないようにするための魚釣り用反射光遮蔽装置を提供することを目的とする。
【課題を解決するための手段】
【０００５】
上述した課題を解決するため、本発明にあっては、水面からの乱反射光を遮蔽する光遮蔽板と、該光遮蔽板を保持する傾き変更可能とした支持ロッドとを備えて成るものである。
【０００６】
また、前記光遮蔽板には、伸縮可能な支持ロッドに一体的に突設された取付ネジ部にナットを螺着したまま挿通して光遮蔽板自体を若干落とし込んでからナットで締結可能にした連続異径となる二段式取付孔を有するものとすることができる。
【０００７】
さらに、前記支持ロッドは、ホルダー部材に有する自在継手を介して起立状に保持されたパラソルの柄によって形成され、光遮蔽板に付設されたクリップ部材を介して前記柄に取り付けられるものとすることができる。
【０００８】
以上のように構成された本発明に係る魚釣り用反射光遮蔽装置にあって、光遮蔽板は、釣竿が設置されている船釣りまたは管理釣り場等の縁板等に、支持ロッドによって、上下方向に伸縮自在で且つ左右前後方向に傾き自在となって支持される。この支持ロッドの長さと傾き調整によって光遮蔽板を釣人の視界近傍に配置させることで、水面から乱反射する光を遮蔽させ、これにより釣り針に掛かった魚による浮きの浮沈状態を確実に視認可能にさせる。
【発明の効果】
【０００９】
本発明によれば、太陽光が水面にキラキラと乱反射して釣人の目をくらますのを確実に防止でき、釣竿を引くタイミングを失することのないようにすることができる。すなわち、支持ロッドの長さと傾き調整によって光遮蔽板を釣人の視界近傍に配置させることで、水面から乱反射する光を遮蔽させ、これにより釣り針に掛かった魚による浮きの浮沈状態を確実に視認することができる。
【発明を実施するための最良の形態】
【００１０】
以下、図面を参照して本発明を実施するための最良の一形態を説明すると、図において示される符号１は、本発明に係る魚釣り用反射光遮蔽装置を構成する光遮蔽板であり、この光遮蔽板１は、図１に示すように、釣竿Ｐが設置されている例えば船釣りまたは管理釣り場等の縁板Ｑに、左右前後方向に傾き自在となる支持ロッド２を介して支持されるものとしている。
【００１１】
光遮蔽板１は、図２に示すように、例えば縦幅約４２ｃｍ、横幅約２８ｃｍ程度の黒色の薄いプラスチック板によって形成され、季節を問わず使用するものとしてある。この光遮蔽板１はプラスチック板が軽量的に好適であるが、材料は問わず、例えば金属板等でも良い。また、大きさや形状も用途に応じて自由に変更でき、矩形板状の他に例えば円形板状でも良い。
【００１２】
光遮蔽板１は、図２に示すように、自体の略中央の上下対称位置に、上側がネジ径と略同じ細径孔３Ａとなり且つ下側がナット径と略同じ太径孔３Ｂとなって互いに連続して成る二段式取付孔３がそれぞれ穿設されており、これら二段式取付孔３に対向すべく、支持ロッド２に沿っての上下２箇所には、取付ネジ部４が一体的に突設されている。そして、取付ネジ部４にナット５を螺着したままの状態で、これらを二段式取付孔３の下側の太径孔３Ｂ側に挿通してから、光遮蔽板１自体を若干落とし込んで取付ネジ部４を上側の細径孔３Ａに嵌合させ、ナット５を締結することで光遮蔽板１が支持ロッド２に固定されるものとしてある。
【００１３】
支持ロッド２は、図３に示すように、下側の基部ロッド２Ａに対して鞘状に挿着されることで、支持ロッド２自体は基部ロッド２Ａに対して上下方向に伸縮自在となるようにしてあり、基部ロッド２Ａの上端側面にねじ込ませたネジ２Ｂにより、基部ロッド２Ａに対して希望とする伸長位置に支持ロッド２が固定されるようにしてある。また、基部ロッド２Ａの下端には、ユニバーサルジョントと称される自在継手２Ｃを介して左右前後方向に傾き自在に起立状に保持させた状態で前記船釣りまたは管理釣り場等の縁板Ｑに基部ロッド２Ａ自体を固定するためのホルダー部材６を備えている。
【００１４】
このホルダー部材６は、図１に示すように、例えば木製のコ字枠部材６Ａのコ字一端側の側面に、先端に押圧支持板６Ｃを備えた締結用のハンドル付ネジ６Ｂが螺挿されて成り、コ字枠部材６Ａ内に船釣りまたは管理釣り場等の縁板Ｑを嵌め込んでからハンドル付ネジ６Ｂを廻して押圧支持板６Ｃとコ字他端側の内側面とで縁板Ｑを挟持してホルダー部材６自体を支えるようにしてある。
【００１５】
次に、以上のように構成された最良の形態についての使用、組立、動作の一例について説明すると、基部ロッド２Ａをホルダー部材６を介して船釣りまたは管理釣り場等の縁板Ｑに固定し、基部ロッド２Ａから支持ロッド２を引き出して希望とする伸長位置でネジ２Ｂを締付けて支持ロッド２を固定する。そして、支持ロッド２の上下一対の取付ネジ部４にナット５を螺着したままの状態で、これらを二段式取付孔３の下側の太径孔３Ｂ側に挿通してから、光遮蔽板１自体を若干落とし込んで取付ネジ部４を上側の細径孔３Ａに嵌合させ、ナット５を締結することで光遮蔽板１を支持ロッド２に固定する。
【００１６】
このように支持ロッド２の長さや傾き等の調整によって光遮蔽板１を釣人の視界近傍に配置させる。これによって水面から乱反射する光を光遮蔽板１で遮蔽させるのである。尚、この光遮蔽板１自体を太陽の日除け部材として使用しても良い。
【００１７】
図４、図５は本発明の最良の形態における他例を示すものであり、前記支持ロッド２の替わりに、夏場に使用するパラソルの柄１０に光遮蔽板１を固定して使用するものとしてある。このとき、光遮蔽板１中央の上下対称位置に切欠した溝部１１にクリップ部材１２の把持部１２Ａの根元側を嵌挿してあり、光遮蔽板１は、このクリップ部材１２を柄１０に挟み込むことで取り付けられるものとしてある。尚、パラソルの柄１０自体は、長さ調整機構付きのものも、そうでないものも含まれるものであり、また、図示したように、前記した構成によるホルダー部材６を介して船釣りまたは管理釣り場等の縁板Ｑに固定されるものとなっている。
【図面の簡単な説明】
【００１８】
【図１】本発明を実施するための最良の形態における光遮蔽板の使用状態を示す斜視図である。
【図２】同じく支持ロッドに光遮蔽板を取り付ける状態を示す斜視図である。
【図３】同じく支持ロッドの上下伸縮、左右前後傾きを調整する状態を示す正面図である。
【図４】本発明を実施するための最良の形態の他例における光遮蔽板の使用状態を示す正面図である。
【図５】同じく光遮蔽板の斜視図である。
【符号の説明】
【００１９】
Ｐ      釣竿
Ｑ      縁板
１      光遮蔽板
２      支持ロッド
２Ａ    基部ロッド
２Ｂ    ネジ
２Ｃ    自在継手
３      二段式取付孔
３Ａ    細径孔
３Ｂ    太径孔
４      取付ネジ部
５      ナット
６      ホルダー部材
６Ａ    コ字枠部材
６Ｂ    ハンドル付ネジ
６Ｃ    押圧支持板
１０    柄
１１    溝部
１２    クリップ部材
１２Ａ  把持部
【図１】
2006238787.tif 000003
【図２】
2006238787.tif 000004
【図３】
2006238787.tif 000005
【図４】
2006238787.tif 000006
【図５】
2006238787.tif 000007